(57)【要約】【課題】作動油中の異物を除去し得るリザーバタンクを提供する。【解決手段】リザーバタンク１０は、流入パイプ１１に連結されるバッフラ４０の加圧室４１と、流出パイプ１２に連結される漏斗部５０と、加圧室４１と漏斗部５０との間に設けられる加圧室フィルタ３３を有する中間部材３０とを備えている。流入パイプ１１は、通孔４０ｂを介して内周壁４２のバッフラ中心Ｌからずれて加圧室４１に連結されており、加圧室４１の内周壁４２には、バッフラ中心Ｌに向けて上方へ傾斜して延出する傾斜部６２を有する異物捕集部６０が設けられている。【選択図】図３
2008298091.tif 000002
【特許請求の範囲】
【請求項１】
流入口に連結される流入室と、
流出口に連結される流出室と、
前記流入室と前記流出室との間に設けられるフィルタと、
を備えるリザーバタンクであって、
前記流入口は、前記流入室の内周壁の中心からずれて当該流入室に連結されており、
前記内周壁には、前記内周壁の中心に向けて上方へ傾斜して延出する傾斜部を有する異物捕集部が設けられることを特徴とするリザーバタンク。
【請求項２】
前記異物捕集部には、前記傾斜部の下端部近傍であって上方に開口する溝部が形成されることを特徴とする請求項１記載のリザーバタンク。
【発明の詳細な説明】
【技術分野】
【０００１】
本発明は、作動油の貯溜、ろ過等を行うリザーバタンクに関するものである。
【背景技術】
【０００２】
従来より、作動油の貯溜、ろ過等を行うリザーバタンクとして、下記特許文献１に示すリザーバタンクが知られている。このリザーバタンクは、流入パイプから流入される作動油をバッフラの加圧室に圧送して加圧するとともに、この加圧室にフィルタを挟んで対向する漏斗室をオイルポンプの吸引力でもって負圧とする。このような加圧室と漏斗室との間に圧力差が生じることによって、作動油が粘性の高い状態であってもフィルタにより円滑にろ過されて、作動油中の異物が捕集される。
【特許文献１】特開２００６−０４６６０３号公報
【発明の開示】
【発明が解決しようとする課題】
【０００３】
ところで、通常のフィルタでは、例えば、１５０μｍ程度の大きさの異物を捕集することができるが、オイルポンプにおけるロータとサイドプレートの最小クリアランスやフローコントロールバルブの最小クリアランス等を考慮すると、さらに小さな異物をも捕集する必要がある。
【０００４】
しかしながら、より小さな異物を捕集するためにフィルタの目をさらに細かくすると、このフィルタが作動油のろ過における抵抗となってしまい、特に、粘性の高い状態（低温状態）の作動油では、オイルポンプの吸い込み不足が発生するという問題が生じる。
【０００５】
本発明は、上述した課題を解決するためになされたものであり、その目的とするところは、作動油中の異物を除去し得るリザーバタンクを提供することにある。
【課題を解決するための手段】
【０００６】
上記目的を達成するため、特許請求の範囲に記載の請求項１のリザーバタンクでは、流入口（１１）に連結される流入室（４１）と、流出口（１２）に連結される流出室（５０）と、前記流入室と前記流出室との間に設けられるフィルタ（３３）と、を備えるリザーバタンク（１０）であって、前記流入口は、前記流入室の内周壁（４２）の中心（Ｌ）からずれて当該流入室に連結されており、前記内周壁には、前記内周壁の中心へ向けて上方へ傾斜して延出する傾斜部（６２）を有する異物捕集部（６０）が設けられることを特徴とする。
【発明の効果】
【０００７】
請求項１の発明では、リザーバタンクは、流入口に連結される流入室と、流出口に連結される流出室と、流入室と流出室との間に設けられるフィルタとを備えている。流入口は、流入室の内周壁の中心からずれて当該流入室に連結されており、内周壁には、当該内周壁の中心に向けて上方へ傾斜して延出する傾斜部を有する異物捕集部が設けられている。
【０００８】
このように、流入口は流入室の内周壁の中心からずれて当該流入室に連結されているので、流入口より流入室に流入する作動油は、流入室の内周壁に沿うように流動するとともに当該作動油の流速に応じて加圧される。その際、流入室の内周壁には当該内周壁の中心に向けて上方へ傾斜して延出する傾斜部を有する異物捕集部が設けられているので、作動油が内周壁に沿い流動している際に、作動油中の異物が異物捕集部の傾斜部と流入室の内周壁とより形成される捕集領域に案内されることにより異物捕集部に捕集される。
したがって、作動油中の異物を除去することができる。
【０００９】
また、作動油中の異物は、その大きさにかかわらず異物捕集部により捕集されるので、フィルタにより捕集される異物の量が削減される。このため、フィルタにより捕集される異物に起因するろ過抵抗を低減することができるので、オイルポンプの吸い込み不足が発生することもなく、オイルポンプに要求される出力を低下することができる。
【００１０】
請求項２の発明では、異物捕集部には、傾斜部の下端部近傍であって上方に開口する溝部が形成されている。これにより、異物捕集部の傾斜部と流入室の内周壁とより形成される捕集領域に案内されて捕集された作動油中の異物が、上方に開口している溝部に案内されて当該溝部に流下するので、異物捕集部による異物の捕集をより確実にすることができる。また、溝部では流入室の内周壁に沿うように流動する作動油の影響が少ないため、溝部に流下した異物の流出を抑制し得る。
【発明を実施するための最良の形態】
【００１１】
以下、本発明の実施形態について図を参照して説明する。図１は、本実施形態に係るリザーバタンク１０の構成概要を示す断面図である。図２は、リザーバタンク１０の下端部を切断して示す上面図である。なお、図１は、図２のＡ−Ａ断面とＢ−Ｂ断面とを便宜上、同軸で結合して示している。
【００１２】
図１に示すように、リザーバタンク１０は、作動油を蓄積するタンク部２０と、作動油中の異物をろ過するフィルタが配設される中間部材３０と、流入パイプ１１から流入する作動油の流速を利用して当該作動油を加圧するバッフラ４０と、流出パイプ１２に接続される漏斗部５０とを備えている。なお、流入パイプ１１は、アクチュエータである図略のギア部の排出側に接続されており、流出パイプ１２は、油圧源である図略のオイルポンプの吸入側に接続されている。
【００１３】
タンク部２０は、図１に示すように、略円筒形状をした例えば合成樹脂製の成形体であり、上端部には油を注入する注油口２１が形成されており、この注油口２１は、オイルキャップ２２によって、わずかな大気連通状態を保って閉塞されている。また、タンク部２０の下端部には、つば状に張り出したフランジ部２３が形成されており、このフランジ部２３の下面には、溶着の際に用いられる環状に隆起した図略の溶着部が設けられている。また、タンク部２０の下端部には、流入パイプ１１が取着形成されている。なお、この流入パイプ１１はタンク部２０の本体と一体成形されて設けられていてもよい。
【００１４】
中間部材３０は、略リング形状をした例えば合成樹脂製の成形体であり、リング部３１と、このリング部３１の内周側に設けられるフィルタ支持板３２とを備えている。リング部３１の上面および下面の周縁には、タンク部２０と漏斗部５０との溶着の際に用いられる、図略の溶着部がそれぞれ設けられている。
【００１５】
フィルタ支持板３２の中央部には、バッフラ４０の後述する加圧室４１から漏斗部５０へ流出する作動油をろ過する円形状の加圧室フィルタ３３が設けられており、この加圧室フィルタ３３の周囲には、漏斗部５０からタンク部２０へ流出する作動油をろ過する複数の加圧室外フィルタ３４が設けられている。
【００１６】
バッフラ４０は、加圧室フィルタ３３の外径と略同一の内径を有する凹部４０ａを備えており、この凹部４０ａが下方向に開口するようにタンク部２０の下方に配置されている。そして、バッフラ４０の凹部４０ａと加圧室フィルタ３３とにより加圧室４１が区画形成されている。
【００１７】
この加圧室４１は、凹部４０ａの内周壁４２の鉛直方向中心（以下、バッフラ中心Ｌともいう）からずれるように形成された通孔４０ｂによって流入パイプ１１と連通されている（図２参照）。
【００１８】
また、バッフラ４０は、タンク部２０の内周面に向かって延びるつば状のバッフラフランジ部４３を有し、タンク部２０と中間部材３０との間に挟み込まれる態様で配設されている（図２参照）。
【００１９】
図３は、異物捕集部６０を説明するための拡大断面図である。
図１〜図３に示すように、加圧室４１には、内周壁４２の下端部に沿うように略環状に形成された、例えば鉄製の異物捕集部６０が設けられている。
【００２０】
異物捕集部６０は、内周壁４２の下端部に固定される略環状の異物捕集部本体６１と、この異物捕集部本体６１の内周上面からバッフラ中心Ｌに向け上方へ傾斜して延出する略環状の傾斜部６２とを備えている。
【００２１】
異物捕集部本体６１には、傾斜部６２の下端部近傍であって上方に開口する断面コ字状の溝部６１ａが全周に渡り形成されている。なお、本実施形態においては、溝部６１ａに流下した作動油中の異物の流出を抑制するため、溝部６１ａの幅寸法は、例えば、０．５〜１．０ｍｍに設定されており、溝部６１ａの深さ寸法は、例えば、幅寸法の２倍に設定されている。
【００２２】
漏斗部５０は、略漏斗形状をした例えば合成樹脂製の成形体であり、この漏斗部５０の下端部には流出パイプ１２が一体に接続されている。なお、このタンク部２０と漏斗部５０とは、製造工程において中間部材３０を挟んで回転可能に組み付けられ、通孔４０ｂと流出パイプ１２とが成す角度の決定後に溶着される。
【００２３】
このように構成することにより、上記リザーバタンク１０は次のように作用する。
まず、流入パイプ１１から加圧室４１に流入する作動油は、加圧室４１の内周壁４２に沿うようにバッフラ中心Ｌを中心として図２の矢印α方向に流動するとともに当該作動油の流速に応じて加圧される（図２参照）。これにより加圧室４１内が正圧となる。これに対して、漏斗部５０の漏斗室５１は、流出パイプ１２を介してオイルポンプの吸入側に接続されているので、オイルポンプの吸引力が作用し、負圧となる。
【００２４】
これにより、加圧室フィルタ３３を挟んで正圧（加圧室４１）と負圧（漏斗室５１）とが間近で対向することとなる。そして、このような圧力差が生じることによって、たとえ粘性の高い状態の作動油であっても円滑に加圧室フィルタ３３を通過できるようになる。
【００２５】
このとき、加圧室４１の内周壁４２に沿い流動する作動油中の異物は、異物捕集部６０の傾斜部６２と内周壁４２とより形成される捕集領域に案内された後、異物捕集部本体６１の溝部６１ａに流下して確実に捕集される。
【００２６】
以上説明したように、本実施形態に係るリザーバタンク１０は、流入パイプ１１に連結されるバッフラ４０の加圧室４１と、流出パイプ１２に連結される漏斗部５０と、加圧室４１と漏斗部５０との間に設けられる加圧室フィルタ３３を有する中間部材３０とを備えている。流入パイプ１１は、通孔４０ｂを介して内周壁４２のバッフラ中心Ｌからずれて加圧室４１に連結されており、加圧室４１の内周壁４２には、バッフラ中心Ｌに向けて上方へ傾斜して延出する傾斜部６２を有する異物捕集部６０が設けられている。
【００２７】
このように、流入パイプ１１は内周壁４２のバッフラ中心Ｌからずれて当該加圧室４１に連結されているので、流入パイプ１１より加圧室４１に流入する作動油は、加圧室４１の内周壁４２に沿うように流動するとともに当該作動油の流速に応じて加圧される。その際、加圧室４１の内周壁４２にはバッフラ中心Ｌに向けて上方へ傾斜して延出する傾斜部６２を有する異物捕集部６０が設けられているので、作動油が内周壁４２に沿い流動している際に、作動油中の異物が異物捕集部６０の傾斜部６２と加圧室４１の内周壁４２とより形成される捕集領域に案内されることにより異物捕集部６０に捕集される。
したがって、作動油中の異物を除去することができる。
【００２８】
また、作動油中の異物は、その大きさにかかわらず異物捕集部６０により捕集されるので、加圧室フィルタ３３により捕集される異物の量が削減される。このため、加圧室フィルタ３３により捕集される異物に起因するろ過抵抗を低減することができるので、オイルポンプの吸い込み不足が発生することもなく、オイルポンプに要求される出力を低下することができる。
【００２９】
また、本実施形態に係るリザーバタンク１０において、異物捕集部６０の異物捕集部本体６１には、傾斜部６２の下端部近傍であって上方に開口する溝部６１ａが形成されている。これにより、異物捕集部６０の傾斜部６２と加圧室４１の内周壁４２とより形成される捕集領域に案内されて捕集された作動油中の異物が、上方に開口している溝部６１ａに案内されて当該溝部６１ａに流下するので、異物捕集部６０による異物の捕集をより確実にすることができる。また、溝部６１ａでは加圧室４１の内周壁４２に沿うように流動する作動油の影響が少ないため、溝部６１ａに流下した異物の流出を抑制し得る。
【００３０】
なお、本発明は上記実施形態に限定されるものではなく、以下のように具体化してもよく、その場合でも、上記実施形態と同等の作用・効果が得られる。
（１）溝部６１ａは断面コ字状に形成されることに限らず、例えば断面Ｖ字状など、上方に開口する形状に形成されてもよい。
【００３１】
（２）異物捕集部６０において、傾斜部６２および溝部６１ａのどちらか一方を廃止してもよい。捕集効果は低下するものの、より簡易的な構成でもって作動油中の異物を捕集することができる。
【図面の簡単な説明】
【００３２】
【図１】本実施形態に係るリザーバタンクの構成概要を示す断面図である。
【図２】リザーバタンクの下端部を切断して示す上面図である。
【図３】異物捕集部を説明するための拡大断面図である。
【符号の説明】
【００３３】
１０…リザーバタンク
１１…流入パイプ（流入口）
１２…流出パイプ（流出口）
２０…タンク部
３０…中間部材
３３…加圧室フィルタ（フィルタ）
４０…バッフラ
４０ａ…凹部
４１…加圧室（流入室）
４２…内周壁
５０…漏斗部（流出室）
６０…異物捕集部
６１…異物捕集部本体
６１ａ…溝部
６２…傾斜部
Ｌ…バッフラ中心
【図１】
2008298091.tif 000003
【図２】
2008298091.tif 000004
【図３】
2008298091.tif 000005